(57)【要約】【課題】表示させるべきデータの全部を画像データとして、出力する構成とすることで、不具合の調査、是正に寄与できる測定装置を提供する。【解決手段】表示部１に測定条件を設定するための設定案内画面を表示させ、操作部２から測定条件を受け取る設定制御、及び受けた測定条件を含む手順で測定部に測定をさせる測定制御部５及び表示制御部３を備え、表示制御部３は設定制御及び測定制御の実行により生成された測定条件及び測定結果を含むデータであって、表示部１に表示させることが予め決められた複数種類のデータ、及びそれらのデータの種類に対応した表示フォーマットを表示対象データ管理部３ｄに記憶し表示部１に表示させる。一括出力部４は一括コピーキー２から指示を受けたとき実際に表示したデータか否かに関わらず、そのとき現に表示対象データ管理部に記憶されている複数種類のデータを画像データとして出力する。【選択図】図１
2010212973.tif 000002
【特許請求の範囲】
【請求項１】
表示部（１）と、操作部（２）と、被測定物又は被測定信号を測定する測定部（６）と、前記表示部に少なくとも測定条件を設定するための設定案内画面を表示させ、前記操作部から該測定条件を受け取る設定制御、及び受けた該測定条件を含む手順で前記測定部に測定をさせるとともに、少なくとも測定結果を前記表示部に表示させる測定制御を行う制御部（３，５）とを備えた測定装置において、
前記制御部は、前記設定制御及び測定制御の実行により生成された前記測定条件及び測定結果を含むデータであって、前記表示部に表示させることが予め決められた複数種類のデータ、及び該データの種類に対応した表示フォーマットを記憶するためのデータ記憶部を有し、該データが生成される都度、記憶する表示対象データ管理部（３ｄ）を備え、該データ記憶部に記憶されているデータを、前記設定制御及び測定制御の手順に従って、或いは前記操作部により選択的に指定された順に、該当する表示フォーマットで前記表示部に表示させ、前記操作部からスクロール指示があったときは該スクロール指示のあったデータを前記表示対象データ記憶部から読み出して前記表示部に表示させるデータを更新することでスクロールさせる表示制御部（３）を備え、さらに、
前記操作部に設けられ、画面一括コピー指示を出す一括コピーキー（２ａ）と、
該画面一括コピー指示を受けたとき、そのときに現に前記表示対象データ記憶手段に記憶されている前記複数種類のデータをそれぞれに該当する表示フォーマットで表示される形態で、それぞれを画像データに変換して、前記表示制御部が前記表示部に実際に選択的に表示させるデータ、表示順、及び前記スクロールとは関係なく、一括して外部へ出力する一括出力部（４）と、
を備えたことを特徴とする測定装置。
【請求項２】
外部機器との通信条件を含むシステム条件を管理する環境管理部（７）を備え、
前記制御部が行う設定制御には、システム条件を設定するための案内画面を表示させ、前記操作部から受けたシステム条件を前記環境管理部に設定し、或いは前記環境管理部に設定されているシステム条件を読み出して前記表示部に表示させる制御を含み、
前記予め決められた複数種類のデータには、該制御部によって、設定される前記システム条件及び読み出されて表示される前記システム条件を含むことを特徴とする請求項１に記載の測定装置。
【請求項３】
表示部（１）と、操作部（２）と、送信部及び受信部を有し移動体通信機器を多項目に亘って測定する測定部（６）と、前記表示部に条件設定項目及び該条件設定項目毎に対応する測定条件を設定するための設定案内画面を表示させ、前記操作部から該測定条件を受け取る設定制御、及び受けた該測定条件に基づいて前記測定部に測定をさせその測定結果を出力する測定制御、及び複数の測定項目のそれぞれに対応した測定結果を前記表示部に表示させる測定結果表示制御を行う制御部（３，５）とを備えた移動体通信機器試験装置において、
前記制御部は、前記設定制御及び測定結果表示制御を行う表示制御部（３）を有し、
前記表示制御部は、前記設定制御における予め決められた前記条件設定項目を入力するための設定用の表示フォーマットを記憶しておくとともに前記操作部から入力された最新の前記測定条件を記憶し、かつ前記測定結果表示制御において予め決められた測定項目名に対応して測定結果を表示するための測定用表示フォーマットを記憶しておくとともに前記測定部が測定した最新の前記測定結果を記憶する表示対象データ管理部（３ｄ）と、該データ記憶部に記憶されている前記最新の測定条件を該当する設定用の表示フォーマットで、又は前記最新の測定結果を該当する測定用の表示フォーマットで表示させるとともに、その表示は、前記設定制御及び測定制御の手順に従って、或いは前記操作部により選択的に指定された順に行い、前記操作部からスクロール指示があったときは該スクロール指示があったときに表示中の前記最新の測定条件又は前記最新の測定結果をスクロールさせて前記表示部に表示させる画面制御部（３ａ）と、を備え、さらに、
前記操作部に設けられ、画面一括コピー指示を出す一括コピーキー（２ａ）と、
該画面一括コピー指示を受け、前記表示対象データ管理部が記憶する前記設定用及び測定用の各表示フォーマットについて、該画面一括コピー指示を受けたときに前記表示対象データ管理部に記憶していた前記測定条件及び前記測定結果を表示される形態で、それぞれを画像データに変換して、前記画面制御部が前記表示部に実際に選択的に表示させることとは関係なく、一括して外部へ出力する一括出力部（４）と、
を備えたことを特徴とする移動体通信機器試験装置。
【発明の詳細な説明】
【技術分野】
【０００１】
本発明は、例えば移動体通信機器のような被測定物或いは信号を所定の測定項目について測定するための測定装置及び移動体通信機器試験装置に関する。特に、本発明は、多項目に亘る測定条件を設定するための表示、或いは多項目に亘る測定結果の表示等を表示部に行わせながら一連の測定を行う測定装置に係り、測定装置で予め表示しようとしていた画像データを実際に表示部に表示されたかどうかとは関係無く外部へ出力させることで、ユーザの操作を簡便にし、また、外部へ出力した画像データにより測定装置の不具合の調査を支援するための技術である。
【背景技術】
【０００２】
測定装置ではないが、ソフトウェアを検証するために、検証に必要な情報を一括して収集しようとする技術がある（特許文献１）。
【０００３】
特許文献１は、ソフトウェアを検証するのに必要な情報ソフトウェアの起動時点で表示される画面のハードコピーの情報を取得するとともに、起動時点のソフトウェアの動作環境を含むソフトウェアの動作に関わるコンピュータ情報をテキスト形式で記述して取得し、これらの取得したシステム情報をユーザが認識可能な形式にして出力する技術である。
【０００４】
そして特許文献１の技術は、コンピュータ上で稼働するソフトウェアの動作環境を把握して、ソフトウェアの障害要因を訴求し、正常動作を検証しようとするものである。
【先行技術文献】
【特許文献】
【０００５】
【特許文献１】特開２００４−１９２２９３号公報
【発明の概要】
【発明が解決しようとする課題】
【０００６】
一般に、例えば、移動体通信機器のような被測定物或いは信号を測定するための測定装置においては、移動体通信機器（例えば携帯電話）等の試験では、測定装置が基地局代わりの動作を行って、移動体通信機器の動作を検査し、かつ信号を測定する。その検査・測定の内容としては、呼接続試験、送受信特性測定（隣接チャンネル漏洩試験、専有帯域幅測定）や、一般的な時間領域での信号測定、又は周波数領域での信号解析等、多くの項目を種々のタイミングで測定するので、測定系統が複雑である。
【０００７】
また、その検査・測定を実施するために、測定条件の設定、測定結果の表示、測定装置自体の機器情報の表示等を行うが、通常の測定装置では、１つの表示器上で表示画面を切り替えて、これらの情報の表示を行っている。さらに、上述のように、測定項目やその設定内容が多数在るので、例えば測定条件の設定画面が、複数の画面に分かれていたり、表示器の表示領域よりも大きな画面となってスクロール機能により表示されたりする場合がある。
【０００８】
このような測定装置を用いるユーザは、上述した測定を実施したとき、しばしば、測定結果の画面をハードコピーして、画像を電子ファイルで保存、或いは印刷をする。これは、測定結果をユーザが後で検証したり、他のユーザに確認してもらうために行われる。さらに、これらの検証や確認のため、測定を実施したときの測定条件の設定値や測定装置自体の機器情報も一緒に取得することが望ましい。また、この設定値や機器情報についても、実際に測定装置に表示される設定画面や機器情報表示画面そのものの画像を取得する方が、測定装置の状態を直接には把握し易い。しかし、それらを個々に取得するのは、ユーザにとって煩雑であり、取りこぼしが発生するおそれもある。
【０００９】
上記特許文献１を踏まえて、このようなユーザの操作を簡便にする測定装置を検討すると、上記特許文献１の技術には、次の（イ）（ロ）の欠点がある。つまり、（イ）起動時点でデータを収集している。（ロ）表示画面のハードコピーをしている。
【００１０】
上記のような測定装置による複雑な測定を行う場合は、多くの種類の多くのデータを同時に或いは複雑なタイミングで取得する場合もあり、画面を切り替えないと、或いはスクロールしないと、表示しきれない場合多い。そうしたとき、上述した画面の取得にあたっては、起動時の情報だけでは不足であり、また、実際に表示された表示画面のハードコピーによる情報だけでは不足である。特に、一般的なハードコピーは、表示されているものだけのコピーなので、一画面分しかコピーしない。例えば、図７に示すような表示すべきデータあっても、表示画面が有する面積に制限されるため、図８に示すように１画面分しかコピーできない。切り替えて表示すべきデータ或いはスクロールして表示すべきデータがあったときは、それらの都度、ハードコピーが必要になる。
【００１１】
また、このよう測定装置をユーザが操作中、観察中或いはそれらが終了したあと、不具合を見つけることがある。ユーザは装置内部を知ることはないので、その不具合の発見は、操作あるいは表示部の表示を観察して発見することが多い。
【００１２】
そこで、サービスマンが、その不具合を調査、是正するためには、その不具合が発生した際の測定装置の状態を把握することが原因究明の手がかりとなる。そうしたとき、表示部に表示される内容は、不具合発見、調査にとって有効であり、不具合を発見したときの表示画面だけでなく、できるだけ多数の表示画面を参照して情報を得ることが望まれる。しかし、上述したように、多数の画面の画像情報の取得、或いは、スクロールにより表示される画面の全画像情報の取得には、非常に手間がかかる。
【００１３】
本発明の目的は、予め表示させるべきデータとされているデータを、生成される都度、取得し、実際に表示部に表示されたかどうかに関係なく、取得予定されている複数データを画像データとして、出力する構成とすることで、ユーザの手間を省くことができ、また、不具合の調査、是正に寄与できる測定装置及び移動体通信機器試験装置を提供する。
【課題を解決するための手段】
【００１４】
上記目的を達成するために、請求項１に記載の発明は、表示部（１）と、操作部（２）と、被測定物又は被測定信号を測定する測定部（６）と、前記表示部に少なくとも測定条件を設定するための設定案内画面を表示させ、前記操作部から該測定条件を受け取る設定制御、及び受けた該測定条件を含む手順で前記測定部に測定をさせるとともに、少なくとも測定結果を前記表示部に表示させる測定制御を行う制御部（３，５）とを備えた測定装置において、前記制御部は、前記設定制御及び測定制御の実行により生成された前記測定条件及び測定結果を含むデータであって、前記表示部に表示させることが予め決められた複数種類のデータ、及び該データの種類に対応した表示フォーマットを記憶するためのデータ記憶部を有し、該データが生成される都度、記憶する表示対象データ管理部（３ｄ）を備え、該データ記憶部に記憶されているデータを、前記設定制御及び測定制御の手順に従って、或いは前記操作部により選択的に指定された順に、該当する表示フォーマットで前記表示部に表示させ、前記操作部からスクロール指示があったときは該スクロール指示のあったデータを前記表示対象データ記憶部から読み出して前記表示部に表示させるデータを更新することでスクロールさせる表示制御部（３）を備え、さらに、前記操作部に設けられ、画面一括コピー指示を出す一括コピーキー（２ａ）と、該画面一括コピー指示を受けたとき、そのときに現に前記表示対象データ記憶手段に記憶されている前記複数種類のデータをそれぞれに該当する表示フォーマットで表示される形態で、それぞれを画像データに変換して、前記表示制御部が前記表示部に実際に選択的に表示させるデータ、表示順、及び前記スクロールとは関係なく、一括して外部へ出力する一括出力部（４）と、を備えた。
【００１５】
請求項２に記載の発明は、請求項１に記載の発明において、外部機器との通信条件を含むシステム条件を管理する環境管理部（７）を備え、前記制御部が行う設定制御には、システム条件を設定するための案内画面を表示させ、前記操作部から受けたシステム条件を前記環境管理部に設定し、或いは前記環境管理部に設定されているシステム条件を読み出して前記表示部に表示させる制御を含み、前記予め決められた複数種類のデータには、該制御部によって、設定される前記システム条件及び読み出されて表示される前記システム条件を含む構成とした。
【００１６】
請求項３に記載の発明は、表示部（１）と、操作部（２）と、送信部及び受信部を有し移動体通信機器を多項目に亘って測定する測定部（６）と、前記表示部に条件設定項目及び該条件設定項目毎に対応する測定条件を設定するための設定案内画面を表示させ、前記操作部から該測定条件を受け取る設定制御、及び受けた該測定条件に基づいて前記測定部に測定をさせその測定結果を出力する測定制御、及び複数の測定項目のそれぞれに対応した測定結果を前記表示部に表示させる測定結果表示制御を行う制御部（３，５）とを備えた移動体通信機器試験装置において、前記制御部は、前記設定制御及び測定結果表示制御を行う表示制御部（３）を有し、前記表示制御部は、前記設定制御における予め決められた前記条件設定項目を入力するための設定用の表示フォーマットを記憶しておくとともに前記操作部から入力された最新の前記測定条件を記憶し、かつ前記測定結果表示制御において予め決められた測定項目名に対応して測定結果を表示するための測定用表示フォーマットを記憶しておくとともに前記測定部が測定した最新の前記測定結果を記憶する表示対象データ管理部（３ｄ）と、該データ記憶部に記憶されている前記最新の測定条件を該当する設定用の表示フォーマットで、又は前記最新の測定結果を該当する測定用の表示フォーマットで表示させるとともに、その表示は、前記設定制御及び測定制御の手順に従って、或いは前記操作部により選択的に指定された順に行い、前記操作部からスクロール指示があったときは該スクロール指示があったときに表示中の前記最新の測定条件又は前記最新の測定結果をスクロールさせて前記表示部に表示させる画面制御部（３ａ）と、を備え、さらに、前記操作部に設けられ、画面一括コピー指示を出す一括コピーキー（２ａ）と、該画面一括コピー指示を受け、前記表示対象データ管理部が記憶する前記設定用及び測定用の各表示フォーマットについて、該画面一括コピー指示を受けたときに前記表示対象データ管理部に記憶していた前記測定条件及び前記測定結果を表示される形態で、それぞれを画像データに変換して、前記画面制御部が前記表示部に実際に選択的に表示させることとは関係なく、一括して外部へ出力する一括出力部（４）と、を備えた。
【発明の効果】
【００１７】
本発明の構成によれば、表示部に表示されることが予め予定されているデータを画像データとして一括して出力できるので、画面の画像データを取得する際のユーザの操作を簡便にすることができる。また、不具合が発生したとき、その一括出力した画像データにより、不具合の調査に寄与することができる。
【図面の簡単な説明】
【００１８】
【図１】移動体通信機器用の測定装置の機能構成を示す図である。
【図２】表示画面を説明するための図である。
【図３】表示画面を説明するための図である。
【図４】表示画面を説明するための図である。
【図５】表示画面を説明するための図である。
【図６】表示部へ表示する項目（タブ）を示す図である。
【図７】表示画面を説明するための図である。
【図８】従来の表示画面を説明するための図である。
【発明を実施するための形態】
【００１９】
図１の測定装置としては、例えば、被測定物として移動体通信機器（移動体端末）を試験・測定する試験装置がある。図１における測定部６は、測定制御部５が有する測定用アプリケーションプログラムに従って動作し、主に通信の疑似基地局として動作し移動体通信機器を試験し、或いは移動体通信機器として動作して、基地局或いは他の移動体通信機器を試験する。このように動作し、従来技術として、本発明と同一出願による特開２００３−４６４３１号公報（送信パワー測定）、特許２９７１６８３号公報（隣接チャンネル漏洩測定）、特許３６５１８５０号公報（呼接続試験）、特許３９１６５９１号公報（複数移動体通信機器の同時試験）、及び特許３９６４４０６号公報（移動体通信機器のアプリケーション試験）等のそれぞれで多項目の測定・試験を行う測定器があり、それらのいずれも、或いはそれらの組合せであっても、本発明を適用することができる。このような多項目に亘って測定・試験を行うために、測定部６には移動体通信機器（或いは基地局）へ試験用信号を送る信号発生部６ａ、及び移動体通信機器（或いは基地局）からの信号を受信し、測定解析し、移動体通信機器（或いは基地局）の動作、特性を評価し、それらの結果としての測定結果を出力する信号解析部６ｂを備えている。
【００２０】
測定制御部５は、予め複数の測定項目について測定するためのアプリケーションプログラム（以下「アプリケーション」と言う。）を記憶しておいて、操作部２から表示制御部３を介して、測定項目、測定条件等を表す測定条件パラメータを受けて、これらの測定条件パラメータを組み込んだアプリケーションプログラムをＣＰＵで実行することで、測定部６を制御する。また、測定制御部５は、測定項目について測定解析して得られた結果（以下、「測定結果」或いは「試験結果」と言う。）を測定部６から受けて（或いは測定部６から直接に）、測定結果パラメータ（測定結果及び試験結果を含む）として表示制御部３へ出力する（出力させる）。つまり、これらのアプリケーションプログラムには測定結果を測定部６から受けて（或いは測定部６から直接に）、測定結果パラメータとして表示制御部３へ出力する（出力させる）コマンドを含む。
【００２１】
測定条件パラメータとしては、例えば、図６（Ａ）に示す項目がある。図６（Ａ）で共通条件設定タブは、例えば、移動体通信のチャンネル等の各種試験で共通の測定条件のパラメータを設定するための項目である。呼接続設定タブは、基地局情報（パラメータ）等の接続に必要なパラメータを設定するための項目である。測定設定タブは、隣接チャンネル試験等の条件や規格値等を設定する項目である。等々がある。
【００２２】
測定結果パラメータとしては、例えば、図６（Ｃ）に示す項目がある。図６（Ｃ）でサマリータブは、測定結果の概要を出力（表示）させるためのパラメータ項目である。送信測定結果タブは、移動体通信機器の送信部を試験・測定した結果を示すパラメータ項目である。受信測定結果タブは、移動体通信機器の受信部を試験・測定した結果を示すパラメータ項目である。タイムドメイン測定結果タブ及びスペクトラムドメイン測定結果タブは、送信測定結果や受信測定結果の中の一部で、或いは単独で信号を直接に時間領域又は周波数領域で観察したい場合の測定項目である。等々がある。
【００２３】
図１のシステム環境管理部７は、図１の測定装置が、ＣＰＵを含み、コンピュータと同等の機能を有するため、外部の機能との動作環境を管理する。例えば、図６（Ｂ）システム設定タブに示すように、外部と通信するために必要なＧＰ−ＩＢ、シリアルＮｏ、ネットワークアドレス等のシステムパラメータを管理している。図５（ａ）及び（ｂ）は、それらのパラメータを個別に設定するための画面例である。
【００２４】
表示制御部３は、機能的には、主に、画面制御機能部３ａ、測定表示機能部３ｂ、設定制御機能部３ｃ、及び表示対象データ管理部３ｄを備える。これらは、予め記憶されているユーザインタフェース用のプログラムをＣＰＵで実行することで、達成される。
【００２５】
表示対象データ管理部３ｄは、予めユーザインタフェース用のプログラムをＣＰＵで実行することで、表示部１及び操作部２と測定制御部５との間で、操作部２側から受けて測定制御部５側へ送るべき測定条件パラメータ、システム環境管理部７に設定されるシステムパラメータ及び測定制御部５側から受けて表示部側へ送る測定結果パラメータを知っている（つまり、上記ユーザインタフェース用のプログラムの中にそれらのパラメータを受けて設定や表示を実行させるコマンドが含まれている。）。測定条件パラメータ、システムパラメータ、測定結果パラメータは、請求項に記載のデータに該当する。
【００２６】
そこで、表示対象データ管理部３ｄは、次の（１−ａ）（１−ｂ）に記載する表示フォーマットを予め有し、表示部１側へ送る。
（１−ａ）表示部１の画面において、測定条件パラメータ及び／又はシステムパラメータの設定を案内表示し、かつ操作者によって設定される測定条件パラメータを受け取るための画面を表示するために、予めそれらの各種のパラメータの種類、或いは測定項目に応じて表示する表示フォーマットを備えている。
（１−ｂ）同様に、表示部１の画面において、測定結果パラメータに基づく測定結果を表示するために、予めそれらの各種のパラメータの種類或いは測定項目に応じて表示する表示フォーマットを備えている。
【００２７】
そして、表示対象データ管理部３ｄは、次の（２−ａ）（２−ｂ）に記載するように動作する。
（２−ａ）上記（１−ａ）の表示フォーマットに表示すべき各測定条件パラメータ（及び／又はシステムパラメータ）を操作部２から受けて記憶し、測定制御部５側に送るとともに、（１−ａ）の表示フォーマットに組み入れて表示部１側に送る。
（２−ｂ）上記（１−ｂ）の表示フォーマットに表示すべき各測定結果パラメータを測定部６から受けて記憶するとともに、（１−ｂ）の表示フォーマットに組み入れて表示部１側へ送る。
【００２８】
その一つの表示例を図２に示す。図２は、各種のタブが表示されるがこれらは、操作部２から移動可能なマーカで選択可能にされている。画面選択タブ１２０では、測定結果と設定のいずれかの画面が選択可能な「Ｆｉｌｅ」と、システム環境の設定用の「Ｅｄｉｔ」とが選択可能に表示されている。図２では、「Ｆｉｌｅ」が選択されて白文字表示されている。そして測定結果タブ１１０の中の特性測定タブ１１０ａである「Ｍｅａｓｕｒｉｎｇ」と呼接続試験タブ１１０ｂのタブである「Ｃａｌｌ  Ｐｒｏｃ」、及び設定タブ１００である「Ｓｅｔｔｉｎｇ」が選択可能に表示されている。図２では、「Ｓｅｔｔｉｎｇ」が選択され、そのバックが白色に変わっている。そして下の表示画面には、選択された設定タブの一部の画面である「Ｍｅａｓｕｒｅ  Ｓｅｔ」（特性測定条件の設定項目）の各項目と、「Ｃａｌｌ Ｐｒｏｃ  Ｓｅｔ」（呼接続試験の手順設定項目）が表示されている。この例の「Ｍｅａｓｕｒｅ  Ｓｅｔ」と「Ｃａｌｌ Ｐｒｏｃ  Ｓｅｔ」の各詳細項目の四角枠内は、パラメータ値であり、これらが操作者によって操作部２から入力された測定条件パラメータであり、表示対象データ管理部３ｄが操作部２から受けて記憶するとともに、測定制御部５に送った値である。そして、数値のない項目があるだけの状態が表示フォーマットであり、表示対象データ管理部３ｄに予め記憶されている。
【００２９】
図３の例は、測定結果タブ１１０の中の特性測定タブ１１０ａである「Ｍｅａｓｕｒｉｎｇ」が選択されている表示部１を示す図である。図３では、向かって左半分の画面には、タイムドメインでの信号波形が、右半分には、各パワー（Ｐｏｗｅｒ）の項目に対する数値表示が各四角枠内に、測定結果として表示されている。信号波形及び四角枠内の数値が測定結果であり、表示対象データ管理部３ｄが測定制御部５から受けて記憶するとともに、表示部１側に送った値である。それらのない表示、つまりタイムドメインの表示領域とパワーの項目が表示対象データ管理部３ｄに予め記憶されている表示フォーマットである。
【００３０】
図４の例は、測定結果タブ１１０の中の呼接続試験タブ１１０ｂである「Ｃａｌｌ  Ｐｒｏｃ」が選択されている表示部１を示す図である。図４では、向かって左半分の画面には、測定の手順が示され、現在の試験の進行位置が、斜めの斜線で示されている（図４では、「Ｔｅｓｔ  Ｍｏｄｅ」が該当）。この場合は、斜線箇所及び下段の数値が測定結果であり、表示対象データ管理部３ｄが測定制御部５から受けて記憶するとともに、表示部１側に送った値である。それらのない表示、つまり全体の測定手順及び下段の項目が、表示対象データ管理部３ｄに予め記憶されている表示フォーマットである。
【００３１】
表示対象データ管理部３ｄが、記憶する測定条件パラメータ（及び／又はシステムパラメータ）及び測定結果パラメータは、少なくとも、条件設定過程或いは測定過程によっては一時的な記憶である。例えば、図４における「Ｃａｌｌ  Ｐｒｏｃ」におけるそのときの試験結果として、現在「Ｔｅｓｔ  Ｍｏｄｅが試験中である」というものであるが、「Ｔｅｓｔ  Ｍｏｄｅ」を終了し、試験が次のステップ「Ｏｐｅｎ  １」又は／及び「Ｏｐｅｎ  ２」へ進んだときは、「「Ｔｅｓｔ  Ｍｏｄｅ」終了信号を測定制御部５から受けて「Ｔｅｓｔ  Ｍｏｄｅが試験中である」という試験結果は記憶から消える。ただし、なんらかのトラブルがあって、「Ｔｅｓｔ  Ｍｏｄｅ」を終了しない場合（つまり、終了信号を受けない場合）は、そのまま「Ｔｅｓｔ  Ｍｏｄｅが試験中である」として記憶されている。
【００３２】
設定制御機能部３ｃは、表示部１及び操作部２と、表示対象データ管理部３ｄとの間にあって、上記（１−ａ）（２−ａ）の動作を仲介する。つまり、表示部１の画面において、測定条件パラメータ（及び／又はシステムパラメータ）の設定するための表示フォーマットを表示対象データ管理部３ｄから受けて、画面制御機能部３ａを介して表示部１に案内表示するとともに、その案内表示にしたがって操作者が操作部２により測定条件パラメータを入力したときは、その入力された測定条件パラメータを画面制御機能部３ａを介して表示されている表示フォーマットの該当項目に表示させるとともに、表示対象データ管理部３ｄに送って記憶させる。
【００３３】
測定表示機能部３ｂは、表示部１及び操作部２と、表示対象データ管理部３ｄとの間にあって、上記（１−ｂ）（２−ｂ）の動作を仲介する。つまり、表示部１の画面において、測定結果パラメータと該当する表示フォーマットとを表示対象データ管理部３ｄから受けて、画面制御機能部３ａを介して表示部１に表示する。
【００３４】
画面制御機能部３ａは、上記のように設定制御機能部３ｃ及び測定表示機能部３ｂから各種パラメータ及び表示フォーマット（以下、これらを纏めて「表示情報」と言う。）を受けて表示部１に表示させる。画面制御機能部３ａは、表示部１が一度に表示できる１画面分のデータ量（以下、「表示容量」という。）は予め知っており、設定制御機能部３ｃ及び測定表示機能部３ｂを介して受けた各種の表示情報の中から表示容量にあった１画面分（１枚目の表示データ）の表示情報を表示する。そして、操作部２からスクロール指示（スクロールする方向と移動量）があったときは、画面制御機能部３ａは、先に表示されている表示情報を、スクロール指示に従ってその既に表示されているデータに連続する残りの表示情報で更新しながら表示させる。また、操作部２から既にある表示情報が表示されているときに、測定条件設定項目或いは測定結果項目の変更指示（いわば表示情報の種類の変更指示）あったときは、変更希望の新たな表示情報を設定制御機能部３ｃ又は測定表示機能部３ｂを介して表示対象データ管理部３ｄから読み出して、既に表示されていた表示情報に代えて表示部１に表示する。
【００３５】
一括出力部４は、テキストデータをビットマップの画像データに変換する画像処理部（不図示）を有している。そして、一括出力部４は、操作部２に設けられた一括コピーキー２ａがオンされたことを受けて、表示対象データ管理部３ｄにその時点で記憶部に記憶されている各種表示情報、つまり、測定条件パラメータ、システムパラメータ及び測定結果パラメータ、それぞれの各種パラメータに対応する表示フォーマットの全部を読み出す。そして、各表示フォーマットに、その表示フォーマット対応するパラメータの全部を組み込んだ形態（そのまま画面に表示されたときと同じ形態であるが、その表示フォーマット対応する該当する全パラメータが複数画面分あれば、複数画面全部）での画像データにして外部へ出力させる。すなわち、表示部１に図８のように表示されていても、出力される画像データは、図７のようになる。つまり、表示部１の表示領域よりも表示される画像の方が大きく、ユーザがスクロール機能によりその画像の全体を観察するような場合、出力データは、この表示されるべき画像全体が一つの画像となっているデータである。
【００３６】
一括出力部４は、操作部２に設けられた一括コピーキー２ａ（図３を参照）がオンされた都度、測定条件設定中、測定中、あるいはそれらの動作していないとき、のいずれであっても、それらの動作に関わりなく、独立した状態で、そのときに記憶されている表示情報の全部を画像データとして、外部メモリＩ／Ｆ８や外部通信Ｉ／Ｆ９等を介して外部へ一括出力する。
【００３７】
そのとき、表示データの全部とは、狭義的には、その時までに設定されてその時に現に記憶している測定条件パラメータ（つまり、最新の測定条件パラメータ）及びシステムパラメータ、その時までの測定・試験で得られた測定結果であってその時に現に記憶している測定結果パラメータ（つまり、最新の測定結果パラメータ）、及びそれらのパラメータに該当する表示フォーマットである。そして、広義的には、予め表示されることが予定されている表示フォーマットとそれに組み込まれるべきパラメータ（測定済み、設定済み、未測定、未設定に関わらず、）一括出力するときの全て）である。つまり、それらの現に記憶しているパラメータ及び対応する表示フォーマットに加え、未だ測定・試験がなされていない測定結果を表示する表示フォーマットと、それに対応する測定結果（この場合、測定・試験がなされていないので、測定結果は「０」或いは白紙の状態と予想される。ただし、不具合があった場合は必ずしもその限りではない。）も含む全部であることが望ましい。未測定・未試験までの測定結果パラメータ等も出力するのは、不具合があったときに、装置内のどこにどのような影響があるか分からないので、できるだけ広い範囲で調査する必要があり、出力された画像データがその調査に寄与することがあるからである。
【００３８】
一括出力部４による画像データの一括出力は、画面制御機能部３ａが、現に、或いは過去に、表示部１に表示している、或いは表示した表示データであるか否かとは関係なく実行される。
【００３９】
また、表示対象データ管理部３ｄは、記憶部で、各種パラメータ及び表示フォーマットを記憶部に記憶していると説明してきたが、この記憶部は、具体的には、ハード的に一つのメモリで構成されている必要はなく、要は、アクセスして書込み（記憶）、読み出しの管理ができれば良く、個別に散在した複数のメモリであっても良い。その複数のメモリも、表示フォーマット等については、ＲＯＭ等に記憶されるが、パラメータ等は、その種類、性格（或いは利用形態）等によって、各種のメモリが使用される。例えば、設定された測定条件パラメータは、設定後、その測定条件パラメータを使用した測定に時間がかかる、設定した後であってしばらく時間経過した後に測定したい、又は測定後の次の日も同じ測定をしたい、等に対応して、電源オフ後も記憶しておけるメモリを使用する。一方、測定結果パラメータの中で測定・試験の過程で更新される測定結果パラメータを記憶するのは、一時的に記憶できるメモリであっても良い。
【００４０】
また、一括コピーキー２ａは、図３のように操作部２に専用キーとして常時配置されていても良いし、画面制御機能部３ａが常に表示部１の画面の片隅に「一括出力コピー」を示すソフトキーを常用可能に表示し、かつ、移動可能なカーソルを表示しておいて、操作部２のマウスでそのカーソルをソフトキーへ重ねてクリックすると、一括出力の指示がでる構成としても良い。一括コピーキー２ａは、専用的であるか、見える位置に常時配置されているか、どうかに関わらず、不具合時（異常時）に即、操作可能なように常用できる構成が望ましい。
【００４１】
外部メモリＩ／Ｆ８は、外部メモリ１０、例えば、ＩＣメモリ、ＣＤ、ＭＤ、ＨＤＤ等に、一括出力部４からの画像データを書き込むためのインターフェースである。外部通信Ｉ／Ｆ９は、外部ＰＣ１１（外部のコンピュータ端末）等の外部の機器とネットワークやＧＰ−ＩＢ等により通信して、その外部機器に、一括出力部４からの画像データを送信するためのインターフェースである。
【００４２】
本発明は、上記構成を採用していることから、単一の操作で複数の画像を、表示部の表示範囲にとらわれず一括して出力できるので、測定を実施したのと異なる日時や場所であっても、その測定に関連した複数の情報を統一的に且つ正確に・検証・確認することができる。また、表示されるべき画面の画像情報として出力するので、完全なＷＹＳＩＷＹＧ（Ｗhat  You  See  Is  What  You  Get）情報となるため、測定装置の表示画面との整合性が高く、測定を実施したのと異なる日時や場所であっても、ユーザが測定結果を正確に検証・確認することができる。
【００４３】
すなわち、測定条件及び測定結果を示す複数の、或いは全ての画像データを取得できる。しかも、複数項目に亘って並列、もしくはそれに近いタイミングで測定しているときでも、表示部１に実際に表示されているデータとは関係なく、その時点で測定されている測定結果であって対応する表示フォーマットがある複数の、或いは全ての画像データが得られる。したがって、各画面の画像をユーザが個々に取得する手間を省くことができ、画面の画像データを取得する際のユーザの操作を簡便にすることできる。さらに、本発明は、不具合時に即、不具合時の症状を反映した画像データが得やすいので、不具合の調査・解決に寄与できる。
【００４４】
上記の構成で、表示制御部３、測定制御部５，及び一括出力部４は、上記説明の機能動作を行うコマンドを含むプログラム及びそれを実行するＣＰＵを含んで構成される。
【符号の説明】
【００４５】
１  表示部、  ２  操作部、２ａ  一括コピーキー、３  表示制御部、
３ａ  画面制御機能部、３ｂ  測定表示機能部、  ３ｃ  設定制御機能部、
３ｄ  表示対象データ管理部、４  一括出力部、５  測定制御部、  ６  測定部、  
６ａ  信号発生部、  ６ｂ  信号解析部、  ７  システム環境管理部、
８  外部メモリＩ／Ｆ、  ９  外部通信Ｉ／Ｆ、  １０  外部メモリ、
１１  外部ＰＣ
【図１】
2010212973.tif 000003
【図６】
2010212973.tif 000004
【図２】
2010212973.tif 000005
【図３】
2010212973.tif 000006
【図４】
2010212973.tif 000007
【図５】
2010212973.tif 000008
【図７】
2010212973.tif 000009
【図８】
2010212973.tif 000010